(57)【要約】本開示は、タイトル表示方法及び装置を開示する。方法は、複数のユーザの少なくとも１つの属性情報に従い複数のユーザを異なるユーザグループに分類する（Ｓ１０１）こと、異なるユーザグループの履歴ユーザ行動ログに従い各ユーザグループにより好まれるキーワードを決定する（Ｓ１０２）こと、現在のトランザクションオブジェクトにアクセスすることについての現在のユーザの要求を受信し、現在のユーザの属性情報に従い現在のユーザに対応するユーザグループを決定する（Ｓ１０３）こと、現在のトランザクションオブジェクトの元のタイトルをワードセグメントにセグメント化し、ワードセグメント内の現在のユーザに対応するユーザグループにより好まれるキーワードにマッチングするワードセグメントを決定する（Ｓ１０４）こと、マッチングするワードセグメントに従いトランザクションオブジェクトの新規のタイトルを生成する（Ｓ１０５）こと、及び表示するためにユーザクライアント端末に新規のタイトルを返す（Ｓ１０６）ことを備える。タイトル表示方法及び装置を使用することにより、本開示の技術は、ユーザへ表示されるタイトルが短く、ユーザの個別化された要求を満たすことを確保する。
2018537759.tif 000002
【特許請求の範囲】
【請求項１】
タイトル表示方法であって、
複数のユーザの少なくとも１つの属性情報に従い前記複数のユーザを異なるユーザグループに分類し、
異なるユーザグループの履歴ユーザ行動ログに従い各ユーザグループにより好まれるキーワードを決定し、
現在のトランザクションオブジェクトにアクセスすることについての現在のユーザの要求を受信し、前記現在のユーザの属性情報により前記現在のユーザに対応するユーザグループを決定し、
前記現在のトランザクションオブジェクトの元のタイトルをワードセグメントにセグメント化し、ワードセグメント内の前記現在のユーザに対応する前記ユーザグループにより好まれる前記キーワードにマッチングする前記ワードセグメントを決定し、
前記マッチングするワードセグメントに従い前記トランザクションオブジェクトの新規のタイトルを生成し、
表示するためにユーザクライアント端末へ前記新規のタイトルを返す、
ことを備える、前記タイトル表示方法。
【請求項２】
前記属性情報は、つぎの、地域、性別、体型、財務能力、積極性、及び嗜好のうちの少なくとも１つを備える、請求項１に記載の前記タイトル表示方法。
【請求項３】
１人のユーザは、１つ以上のユーザグループに対応する、請求項１に記載の前記タイトル表示方法。
【請求項４】
前記履歴ユーザビ行動ログは、ユーザ検索ログを備え、前記ユーザ検索ログは、前記ユーザの検索時間及びクエリワードを記録する、請求項１に記載の前記タイトル表示方法。
【請求項５】
前記異なるユーザグループの履歴ユーザ行動ログに従い各ユーザグループにより好まれるキーワードを前記決定することは、
各ユーザグループ内のすべてのユーザ検索ログ内の総検索数、及び各ユーザグループ内のすべてのユーザ検索ログ内の各クエリワードに対応する検索数を計数し、
前記総検索数に対する各クエリワードの前記検索数の割合を計算し、
前記割合が所定の値より大きいと判定することに応答して前記ユーザグループにより好まれるキーワードとして前記クエリワードを決定する、
ことを備える、請求項４に記載の前記タイトル表示方法。
【請求項６】
異なるユーザグループの前記履歴ユーザ行動ログに従い各ユーザグループにより好まれる前記キーワードを前記決定することは、
所定の期間に、各ユーザグループ内のすべてのユーザ検索ログ内の総検索数、及び各ユーザグループ内のすべてのユーザ検索ログ内の各クエリワードに対応する検索数を計数し、
前記所定の期間に計数される、前記総検索数に対する各クエリワードの前記検索数の割合を計算し、
前記割合が所定の値より大きいと判定することに応答して前記ユーザグループにより好まれる前記キーワードとして前記クエリワードを決定する、
ことを備える、請求項４に記載の前記タイトル表示方法。
【請求項７】
前記ワードセグメントにおいて、前記現在のユーザに対応する前記ユーザグループにより好まれる前記キーワードにマッチングする前記ワードセグメントは、前記現在のユーザに対応する前記ユーザグループにより好まれる前記キーワードに同一である、またはこれに同等であるワードセグメントを備える、請求項１に記載の前記タイトル表示方法。
【請求項８】
前記マッチングするワードセグメントに従い前記トランザクションオブジェクトの前記新規のタイトルを前記生成することは、前記マッチングするワードセグメントを前記トランザクションオブジェクトの所定の簡単なタイトルと組み合わせ、前記トランザクションオブジェクトの前記新規のタイトルを生成することを備える、請求項１に記載の前記タイトル表示方法。
【請求項９】
前記マッチングするワードセグメントを前記トランザクションオブジェクトの前記所定の簡単なタイトルと組み合わせ、前記トランザクションオブジェクトの前記新規のタイトルを前記生成することは、前記ワードセグメントを前記トランザクションオブジェクトの前記所定の簡単なタイトルと直接に組み合わせ、前記トランザクションオブジェクトの前記新規のタイトルを生成することを備え、前記ワードセグメントがランダムまたは所定の順序で前記所定の簡単なタイトルと直接に組み合わされる、請求項８に記載の前記タイトル表示方法。
【請求項１０】
前記マッチングするワードセグメントを前記トランザクションオブジェクトの前記所定の簡単なタイトルと組み合わせ、前記トランザクションオブジェクトの前記新規のタイトルを前記生成することは、
直接組み合わせ方式を使用した後に、前記マッチングするワードセグメント、及び前記所定の簡単なタイトルを組み合わせることにより形成されるタイトル内で繰り返されたワードセグメントを削除し、
前記トランザクションオブジェクトの前記新規のタイトルとして前記繰り返されたワードセグメントを削除することにより取得されるタイトルを使用する、
ことを備える、請求項８に記載の前記タイトル表示方法。
【請求項１１】
前記マッチングするワードセグメントに従い前記トランザクションオブジェクトの前記新規のタイトルを前記生成することは、
前記トランザクションオブジェクトの属性情報に従い前記トランザクションオブジェクトに対応する特徴ワードを決定し、
前記特徴ワード、及び前記ワードセグメントに従い生成される前記タイトルに基づき前記新規のタイトルを生成する、
ことをさらに備える、請求項８に記載の前記タイトル表示方法。
【請求項１２】
前記特徴ワード、及び前記ワードセグメントに従い生成される前記タイトルに基づき前記新規のタイトルを前記生成することは、前記ワードセグメントに従い生成される前記タイトルへ前記特徴ワードを追加することを備える、請求項１１に記載の前記タイトル表示方法。
【請求項１３】
前記トランザクションオブジェクトの前記属性情報に従い前記トランザクションオブジェクトに対応する前記特徴ワードを前記決定することは、
前記トランザクションオブジェクトのプロバイダ情報に従い前記トランザクションオブジェクトに対応する前記特徴ワードを決定すること、及び／または
前記トランザクションオブジェクトのフィードバック情報に従い前記トランザクションオブジェクトに対応する前記特徴ワードを決定すること、
を備える、請求項１１に記載の前記タイトル表示方法。
【請求項１４】
前記トランザクションオブジェクトの前記プロバイダ情報は、以下の、
前記トランザクションオブジェクトのプロバイダ識別子、
前記トランザクションオブジェクトが属する前記業界内の前記トランザクションオブジェクトのプロバイダのシェア、
前記トランザクションオブジェクトに対応する検索ユーザの属性情報、及び
前記トランザクションオブジェクトのブランド情報、
のうちの少なくとも１つを備える、請求項１３に記載の前記タイトル表示方法。
【請求項１５】
ユーザグループ分類部、
好ましいキーワード部、
現在のユーザ部、
ワードセグメントマッチング部、
新規のタイトル部、及び
表示部、
を備え、
前記ユーザグループ分類部は、複数のユーザの少なくとも１つの属性情報に従い前記複数のユーザを異なるユーザグループに分類するように構成され、
前記好ましいキーワード部は、異なるユーザグループの履歴ユーザ行動ログに従い各ユーザグループにより好まれるキーワードを決定するように構成され、
前記現在のユーザ部は、現在のトランザクションオブジェクトにアクセスすることについての現在のユーザの要求を受信するように、及び前記現在のユーザの属性情報に従い前記現在のユーザに対応するユーザグループを決定するように構成され、
前記ワードセグメントマッチング部は、前記現在のトランザクションオブジェクトの元のタイトルをワードセグメントにセグメント化するように、及びワードセグメント内の前記現在のユーザに対応する前記ユーザグループにより好まれる前記キーワードにマッチングする前記ワードセグメントを決定するように構成され、
前記新規のタイトル部は、前記ワードセグメントマッチング部において前記マッチングするワードセグメントに従い前記トランザクションオブジェクトの新規のタイトルを生成するように構成され、
前記表示部は、表示するためにユーザクライアント端末へ前記新規のタイトル部において前記新規のタイトルを返すように構成される、
タイトル表示装置。
【請求項１６】
前記新規のタイトル部は、前記トランザクションオブジェクトの属性情報に従い前記トランザクションオブジェクトに対応する特徴ワードを生成するように、及び前記特徴ワードと、前記ワードセグメントに従い生成される前記タイトルとに基づき前記新規のタイトルを生成するようにさらに構成される、請求項１５に記載の前記タイトル表示装置。
【発明の詳細な説明】
【技術分野】
【０００１】
関連特許出願への相互参照
本出願は、２０１５年１０月１６日に出願され、「ＴＩＴＬＥ  ＤＩＳＰＬＡＹ  ＭＥＴＨＯＤ  ＡＮＤ  ＡＰＰＡＲＡＴＵＳ」と題する、中国特許出願第２０１５１０６７１２６４．４号への優先権を主張し、その全体が参照により本明細書に援用される。
【０００２】
本開示は、インターネット情報表示技術の分野に関し、さらに特に、タイトル表示方法及び装置に関する。
【背景技術】
【０００３】
一般的に、ネットワークコンテンツを表示するときに、各ネットワークコンテンツは、タイトルを含む。ユーザは、このタイトルをみることによりネットワークコンテンツについての重要な情報を即座に習得し得る。
【０００４】
ｅコマースシステムにおいて、既存のタイトル表示方法は、製品情報に従い製品プロバイダにより製品のタイトルを追加すること、及びユーザへこの追加されたタイトルを表示することを一般的に備える。製品プロバイダがタイトルを追加するときに、製品のタイトルに対応する短いタイトルも追加してもよい。したがって、ユーザが携帯端末を使用する検索を介して製品をみつけるときに、ユーザへ短いタイトルを提供してもよい。
【０００５】
製品プロバイダは、製品について長いタイトルを一般的に追加し、この製品のタイトルに最新のホットワードを追加するため、ユーザは、この製品を容易にみつけ得る。過度に長いタイトルを表示することは、ユーザ端末の画面上に大きなスペースを必要とする場合があり、ユーザが読むことを不便にする。さらに悪いことに、タイトルが過度に長いときに、ユーザが関心のある部分を即座に探すことは、ユーザにとって非常に困難である。他方で、方法を提供する既存のタイトルは、ユーザの個別化されたデマンドを満たすことが不可能である。
【発明の概要】
【０００６】
本開示の例示的な実施形態の目標は、ユーザへ表示されるタイトルが短く、ユーザの個別化されたデマンドを満たすことを確保するため、タイトル表示方法及び装置を提供することである。
【０００７】
上記の技術的な問題を解決するために、本開示の例示的な実施形態は、以下のように実装される、タイトル表示方法及び装置を提供する。
【０００８】
タイトル表示方法は、
複数のユーザの少なくとも１つの属性情報に従い複数のユーザを異なるユーザグループに分類し、
異なるユーザグループの履歴ユーザ行動ログに従い各ユーザグループにより好まれるキーワードを決定し、
現在のトランザクションオブジェクトにアクセスすることについての現在のユーザの要求を受信し、現在のユーザの属性情報に従い現在のユーザに対応するユーザグループを決定し、
現在のトランザクションオブジェクトの元のタイトルをワードセグメントにセグメント化し、これらのワードセグメント内の現在のユーザに対応するユーザグループにより好まれるキーワードにマッチングするワードセグメントを決定し、
マッチングするワードセグメントに従いトランザクションオブジェクトの新規のタイトルを生成し、
表示するためにユーザクライアント端末へ新規のタイトルを返す、
ことを備える。
【０００９】
タイトル表示装置は、ユーザグループ分類部、好ましいキーワード部、現在のユーザ部、ワードセグメントマッチング部、新規のタイトル部、及び表示部を備え、
ユーザグループ分類部は、複数のユーザの少なくとも１つの属性情報に従い複数のユーザを異なるユーザグループに分類するように構成され、
好ましいキーワード部は、異なるユーザグループの履歴ユーザ行動ログに従い各ユーザグループにより好まれるキーワードを決定するように構成され、
現在のユーザ部は、現在のトランザクションオブジェクトにアクセスすることについての現在のユーザの要求を受信するように、及び現在のユーザの属性情報に従い現在のユーザに対応するユーザグループを決定するように構成され、
ワードセグメントマッチング部は、現在のトランザクションオブジェクトの元のタイトルをワードセグメントにセグメント化するように、及びワードセグメント内の現在のユーザに対応するユーザグループにより好まれるキーワードにマッチングするワードセグメントを決定するように構成され、
新規のタイトル部は、ワードセグメントマッチング部においてマッチングするワードセグメントに従いトランザクションオブジェクトの新規のタイトルを生成するように構成され、
表示部は、表示するためにユーザクライアント端末へ新規のタイトル部において新規のタイトルを返すように構成される。
【００１０】
本開示の例示的な実施形態に提供される技術的な解決策から示されるように、本開示の例示的な実施形態に開示されるタイトル表示方法及び装置の下で、ユーザは、ユーザの属性情報に従い分類され、各ユーザに対応するユーザグループ、及び各ユーザグループにより好まれるキーワードは、予め決定され、現在のトランザクションオブジェクトにアクセスすることについてのユーザの要求を受信するときに、現在のトランザクションオブジェクトの元のタイトルは、ワードセグメントにセグメント化され、ユーザが属するグループにより好まれるキーワードにマッチングする元のタイトル内のワードセグメントを決定し、つぎに新規のタイトルは、マッチングするワードセグメントに従い生成され、ユーザへ表示される。本開示の技術は、ユーザへ表示されるタイトルを簡単にすることを確保し得る。その一方で、本開示の例示的な実施形態に開示されるタイトル表示方法及び装置を使用することにより、ユーザが属するユーザグループの検索傾向を満たすタイトルは、ユーザグループに従い生成され、表示されてもよく、ユーザへ表示されるタイトルは、ユーザの個別化されたデマンドを満たし得る。
【００１１】
本開示の例示的な実施形態に技術的な解決策、またはより明確に従来技術を記述するために、例示的な実施形態、または従来技術を記述する添付の図面を以下に簡単に導入する。一見、以下に記述される添付の図面は、本開示に記述されるいくつかの例示的な実施形態に過ぎないが、当業者は、創造的な努力なしでこれらの添付の図面から他の図面をさらに得てもよい。
【図面の簡単な説明】
【００１２】
【図１】本開示に従うタイトル表示方法の例示的な実施形態のフローチャートである。
【図２】本開示に従うタイトル表示装置の例示的な実施形態のブロック図である。
【発明を実施するための形態】
【００１３】
本開示の例示的な実施形態は、タイトル表示方法及び装置を提供する。
【００１４】
当業者が本開示の技術的な解決策をより良く理解することを可能にするために、本開示の例示的な実施形態の技術的な解決策は、本開示の例示的な実施形態における添付の図面を介して明確に、かつ完全に記述されるであろう。明らかに、記述された例示的な実施形態は、すべての例示的な実施形態よりもむしろ、本開示のいくつかの例示的な実施形態に過ぎない。本開示の例示的な実施形態に基づき、いかなる創造的な努力なしで当業者により導かれる、すべての他の例示的な実施形態は、本開示の保護範囲に該当するものとする。
【００１５】
図１は、本開示に従うタイトル表示方法の例示的な実施形態のフローチャートである。図１に示されるように、タイトル表示方法は、以下を備えてもよい。
【００１６】
Ｓ１０１：複数のユーザの属性情報の少なくとも１つのアイテムに従い、複数のユーザを異なるユーザグループに分類する。
【００１７】
複数のユーザは、異なる属性情報に対応するユーザグループを取得するために、ユーザの属性情報に従い分類されてもよい。
【００１８】
ユーザの属性情報は、つぎの、地域、性別、体型、財務能力、積極性、嗜好、及び同様のもののうちの少なくとも１つを含んでもよい。
【００１９】
たとえば、属性情報がユーザの地域情報であるときに、これらのユーザを地域の特質でユーザグループ「北部」、及びユーザグループ「南部」に分類してもよい。属性情報がユーザの体型情報であるときに、ユーザを体型の特質でユーザグループ「ぽっちゃり」、及びユーザグループ「ほっそり」に分類してもよい。
【００２０】
ユーザグループを分類する方法は、異なる特質により変わってもよい。ユーザは、複数の異なる特質で属性情報を有してもよいため、１人のユーザは、１つ以上の特質でユーザグループに対応してもよい。たとえば、ユーザは、地域の特質で属性情報「南部」を有し、ユーザは、ユーザグループ「南部」に分類されてもよい一方で、ユーザは、体型の特質で属性情報「ほっそり」を有し、ユーザは、ユーザグループ「ほっそり」にも分類されてもよい。
【００２１】
Ｓ１０２：異なるユーザグループの履歴ユーザ行動ログに従い各ユーザグループにより好まれるキーワードを決定してもよい。
【００２２】
ユーザグループにより好まれるキーワードは、ユーザグループに対応してもよい。ユーザグループにより好まれるキーワードは、ユーザグループが製品を検索するときに通常使用されるクエリワードであってよい。
【００２３】
履歴ユーザ行動ログは、ユーザ検索ログを含んでもよい。このユーザ検索ログは、ユーザの検索時間、及びクエリワードを記録し得る。
【００２４】
各ユーザグループにより好まれるキーワードは、ユーザ検索ログに従い決定されてもよい。具体的に、各ユーザグループ内のすべてのユーザ検索ログ内の総検索数、及び各クエリワードに対応する検索数を計数してもよい。総検索数に対する各クエリワードの検索数の割合を計算してもよい。この割合が所定の値より大きい場合に、クエリワードをユーザグループにより好まれるキーワードとして決定してもよい。
【００２５】
別の実施態様において、所定の期間に、各ユーザグループ内のすべてのユーザ検索ログ内の総検索数、及び各クエリワードに対応する検索数を計数してもよい。つぎに所定の期間に計数される、総検索数に対する各クエリワードの検索数の割合を計算する。この割合が所定の値より大きい場合に、ユーザグループにより好まれるキーワードとしてクエリワードを決定してもよい。
【００２６】
たとえば、体型の特質で属性情報に従い、ユーザをユーザグループ「ぽっちゃり」、及びユーザグループ「ほっそり」に分類してもよい。ユーザグループ「ぽっちゃり」の履歴ユーザ行動ログに従い、ユーザグループ「ぽっちゃり」により好まれるキーワードを決定してもよい。具体的に、過去３０日間のユーザグループ「ぽっちゃり」のすべてのユーザ検索ログ内の総検索数を計数してもよく、これは、たとえば、Ｎにより表してもよい。過去３０日間のユーザグループ「ぽっちゃり」のすべてのユーザ検索ログ内の各クエリワードに対応する検索数も計数してもよく、これは、たとえば、Ｍ１、Ｍ２、Ｍ３、または同様のものにより表してもよい。総検索数に対する各クエリワードの検索数の割合、すなわち、Ｍ１／Ｎ、Ｍ２／Ｎ、Ｍ３／Ｎ、または同様のものを計算する。たとえば、Ｍ１は、クエリワード「ゆったりした」の検索数を表し、Ｍ２は、クエリワード「Ｌサイズ」の検索数を表し、Ｍ３は、クエリワード「低価格」の検索数を表す。Ｍ１／Ｎ及びＭ２／Ｎの値が所定の値より大きく、Ｍ３／Ｎの値が所定の値より小さいと仮定すると、「ゆったりした」及び「Ｌサイズ」がユーザグループ「ぽっちゃり」により好まれるキーワードであることを決定し得る。
【００２７】
Ｓ１０３：現在のトランザクションオブジェクトにアクセスすることについての現在のユーザの要求を受信し、この現在のユーザの属性情報に従い、現在のユーザに対応するユーザグループを決定する。
【００２８】
現在のトランザクションオブジェクトにアクセスすることについての現在のユーザの要求は、現在のユーザの表示画面上に現在のトランザクションオブジェクトのタイトルを表示する要求を備えてもよい。この現在のトランザクションオブジェクトは、ｅコマースの分野内の製品であってよい。
【００２９】
現在のトランザクションオブジェクトにアクセスすることについての現在のユーザの要求を受信した後に、現在のユーザの属性情報に従い、現在のユーザに対応するユーザグループを決定してもよい。具体的に、ステップＳ１０１における説明を参照して、現在のユーザの属性情報は、たとえば、地域の特質で「南部」であり、現在対応するユーザグループは、ユーザグループ「南部」として決定されてもよい。
【００３０】
Ｓ１０４：現在のトランザクションオブジェクトの元のタイトルをワードセグメントにセグメント化し、ワードセグメント内の現在のユーザに対応するユーザグループにより好まれるキーワードにマッチングするワードセグメントを決定する。
【００３１】
現在のトランザクションオブジェクトの元のタイトルを複数のワードセグメントにセグメント化してもよい。たとえば、現在のトランザクションオブジェクトは、コートであり、トランザクションオブジェクトの元のタイトルは、「韓国風の大きな肩章の中間丈の春／秋ものの婦人用トレンチコートのゆったりした流行のもの」であってよい。元のタイトルを以下のワードセグメント、「韓国風」、「大きな肩章」、「中間丈」、「丈」、「春／秋もの」、「秋もの」、「婦人用」、「トレンチ」、「コート」、「ゆったりした」、及び「流行のもの」にセグメント化してもよい。
【００３２】
ワードセグメントにおいて、現在のユーザに対応するユーザグループにより好まれるキーワードにマッチングするワードセグメントは、現在のユーザに対応するユーザグループにより好まれるキーワードへ同一である、またはこれらに同等であるワードセグメントを含んでもよい。
【００３３】
現在のユーザに対応するユーザグループがグループ「婦人」、グループ「若い」、及びグループ「ぽっちゃり」を含んでもよいと仮定する。グループ「婦人」により好まれるキーワードは、「婦人用」を含んでもよく、グループ「若い」により好まれるキーワードは、「流行のもの」を含んでもよく、グループ「ぽっちゃり」により好まれるキーワードは、「ゆったりした」を含んでもよい。したがって、ワードセグメントにおいて、現在のユーザに対応するユーザグループにより好まれるキーワードにマッチングするワードセグメントは、「婦人用」、「ゆったりした」、及び「流行のもの」を含んでもよい。
【００３４】
Ｓ１０５：マッチングするワードセグメントに従い、トランザクションオブジェクトの新規のタイトルを生成する。
【００３５】
マッチングするワードセグメントに従い、トランザクションオブジェクトの新規のタイトルを生成してもよい。具体的に、マッチングするワードセグメントをトランザクションオブジェクトの所定の簡単なタイトルと組み合わせ、トランザクションオブジェクトの新規のタイトルを生成してもよい。
【００３６】
さらに、マッチングするワードセグメントをトランザクションオブジェクトの所定の簡単なタイトルと組み合わせ、トランザクションオブジェクトの新規のタイトルを生成することは、ワードセグメントを所定の簡単なタイトルと直接に組み合わせ、トランザクションオブジェクトの新規のタイトルを生成することを備えてもよい。ワードセグメントを所定の簡単なタイトルとランダム、または所定の順序で直接に組み合わせてもよい。
【００３７】
さらに、マッチングするワードセグメントをトランザクションオブジェクトの所定の簡単なタイトルと組み合わせ、トランザクションオブジェクトの新規のタイトルを生成することは、直接組み合わせ方式を使用した後に、ワードセグメントを所定の簡単なタイトルと組み合わせることにより形成されるタイトル内の繰り返されたワードセグメントを削除すること、及びトランザクションオブジェクトの新規のタイトルとして繰り返されたワードセグメントを削除することにより取得されるタイトルを使用することをさらに備えてもよい。
【００３８】
たとえば、元のタイトル「韓国風の大きな肩章の中間丈の春／秋ものの婦人用トレンチコートのゆったりした流行のもの」を有するトランザクションオブジェクトについて、所定の簡単なタイトルが「婦人用トレンチコート」であり、マッチングするワードセグメントが「婦人用」、「ゆったりした」、及び「流行のもの」であると仮定する。したがって、マッチングするワードセグメントをトランザクションオブジェクトの所定の簡単なタイトルと直接に組み合わせ、トランザクションオブジェクトの新規のタイトル「婦人用のゆったりした流行のものの婦人用トレンチコート」を取得し得る。組み合わされたタイトル内の繰り返されたワードセグメントをさらに削除する場合に、トランザクションオブジェクトの新規のタイトル「婦人用のゆったりした流行の婦人用トレンチコート」を取得し得る。
【００３９】
別の例示的な実施形態において、マッチングするワードセグメントをトランザクションオブジェクトの所定の簡単なタイトルと組み合わせ、タイトルを生成した後に、マッチングするワードセグメントに従いトランザクションオブジェクトの新規のタイトルを生成するステップは、トランザクションオブジェクトの属性情報に従いトランザクションオブジェクトに対応する特徴ワードを決定すること、ならびに特徴ワード、及びワードセグメントに従い生成されるタイトルに基づき新規のタイトルを生成することをさらに備えてもよい。
【００４０】
トランザクションオブジェクトの属性情報に従いトランザクションオブジェクトに対応する特徴ワードを決定するステップは、トランザクションオブジェクトのプロバイダ情報に従いトランザクションオブジェクトに対応する特徴ワードを決定すること、及び／またはトランザクションオブジェクトのフィードバック情報に従いトランザクションオブジェクトに対応する特徴ワードを決定することを備えてもよい。
【００４１】
トランザクションオブジェクトのプロバイダ情報は、つぎの、トランザクションオブジェクトのプロバイダ識別子と、トランザクションオブジェクトが属する業界内のトランザクションオブジェクトのプロバイダのシェアと、トランザクションオブジェクトに対応する検索ユーザの属性情報と、トランザクションオブジェクトのブランド情報とのうちの少なくとも１つを備えてもよい。
【００４２】
トランザクションオブジェクトのプロバイダ情報に従い、トランザクションオブジェクトに対応する特徴ワードを決定してもよい。たとえば、特徴ワードは、「業界トップ１００」、「１００年の歴史」、「女性の選択」、トランザクションオブジェクトのブランド名、及び同様のものを含んでもよい。
【００４３】
トランザクションオブジェクトのフィードバック情報に従い、トランザクションオブジェクトに対応する特徴ワードをさらに決定してもよい。フィードバック情報は、トランザクションオブジェクトについてのユーザのコメントでああってよい。たとえば、特徴ワードは、「賛成」、「高い対費用効果」、及び同様のものを含んでもよい。
【００４４】
特徴ワード、及びワードセグメントに従い生成されるタイトルに基づき新規のタイトルを生成するステップは、ワードセグメントに従い生成されるタイトルに特徴ワードを追加することを備えてもよい。
【００４５】
Ｓ１０６：表示するために新規のタイトルをユーザクライアント端末へ返す。
【００４６】
表示するためにユーザクライアント端末へ返される新規のタイトルは、トランザクションオブジェクトの所定の簡単なタイトルとマッチングするワードセグメントを組み合わせることにより生成されてもよい。
【００４７】
別の例示的な実施形態において、表示するためにユーザクライアント端末へ返される新規のタイトルは、ワードセグメントに従い生成されるタイトルに特徴ワードを追加することにより形成される新規のタイトルであってよい。
【００４８】
本開示の例示的な実施形態に開示されるタイトル表示方法の下で、ユーザはユーザの属性情報に従い分類され、各ユーザに対応するユーザグループ、及び各ユーザグループにより好まれるキーワードは予め定められ、トランザクションオブジェクトにアクセスすることについてのユーザの要求を受信するときに、現在のトランザクションオブジェクトの元のタイトルはワードセグメントにセグメント化され、ユーザが属するグループにより好まれるキーワードにマッチングする元のタイトル内のワードセグメントを決定し、つぎに新規のタイトルはマッチングするワードセグメント、及び所定の簡単なタイトルに従い生成され、新規のタイトルはユーザへ表示される。本開示の技術は、ユーザへ表示されるタイトルを簡単にすることを確保する。その一方で、本開示の例示的な実施形態に開示されるタイトル表示方法を使用することにより、ユーザが属するユーザグループの検索傾向を満たすタイトルは、ユーザグループに従い生成され、表示されてもよく、ユーザに表示されるタイトルは、ユーザの個別化された要求を満たしてもよい。
【００４９】
図２は、本開示に従うタイトル表示装置の例示的な実施形態のブロック図である。図２に示されるように、タイトル表示装置は、ユーザグループ分類部２０１、好ましいキーワード部２０２、現在のユーザ部２０３、ワードセグメントマッチング部２０４、新規のタイトル部２０５、及び表示部２０６を備えてもよい。
【００５０】
ユーザグループ分類部２０１は、複数のユーザの属性情報の少なくとも１つのアイテムに従い、複数のユーザを異なるユーザグループに分類するように構成されてもよい。
【００５１】
好ましいキーワード部２０２は、異なるユーザグループの履歴ユーザ行動ログに従い、各ユーザグループにより好まれるキーワードを決定するように構成されてもよい。
【００５２】
現在のユーザ部２０３は、現在のトランザクションオブジェクトにアクセスすることについての現在のユーザの要求を受信するように、及び現在のユーザの属性情報に従い現在のユーザに対応するユーザグループを決定するように構成されてもよい。
【００５３】
ワードセグメントマッチング部２０４は、現在のトランザクションオブジェクトの元のタイトルをワードセグメントにセグメント化するように、及びワードセグメント内の現在のユーザに対応するユーザグループにより好まれるキーワードにマッチングするワードセグメントを決定するように構成されてもよい。
【００５４】
新規のタイトル部２０５は、ワードセグメントマッチング部２０４で決定されるマッチングするワードセグメントに従い、トランザクションオブジェクトの新規のタイトルを生成するように構成されてもよい。
【００５５】
別の例示的な実施形態において、新規のタイトル部２０５は、トランザクションオブジェクトの属性情報に従いトランザクションオブジェクトに対応する特徴ワードを決定するように、及び特徴ワードと、ワードセグメントに従い生成されるタイトルとに基づき新規のタイトルを生成するようにさらに構成されてもよい。
【００５６】
表示部２０６は、表示するためにユーザクライアント端末へ新規のタイトル部２０５において新規のタイトルを返すように構成されてもよい。
【００５７】
上記の例示的な実施形態に開示されるタイトル表示装置は、本開示に従うタイトル表示方法の例示的な実施形態に対応し、本開示に従いタイトル表示方法の例示的な実施形態を実装し、方法の例示的な実施形態の技術的な効果を実現し得る。
【００５８】
１９９０年代に、技術的な向上は、ハードウェアでの改良（たとえば、ダイオード、トランジスタ、またはスイッチのような回路構造での改良）、またはソフトウェアでの改善（方法プロシージャでの改善）として明らかに区別されてもよい。しかしながら、技術の発展に伴い、現在のところ多くの方法プロシージャでの改善は、ハードウェア回路構造での直接的な改良と考えられてもよい。ほぼすべての設計者は、ハードウェア回路に改善された方法プロシージャをプログラミングし、対応するハードウェア回路構造を取得する。したがって、ハードウェアエンティティモジュールを使用することにより方法プロシージャでの改善を実施することが不可能であると仮定することは、不適切である。たとえば、プログラマブルロジックデバイス（ＰＬＤ）（フィールドプログラマブルゲートアレイ（ＦＰＧＡ）のような）は、デバイスをプログラミングすることによりユーザが論理機能を決定するような集積回路である。設計者は、専用の集積回路チップ２を設計し、製造するようにチップ製造業者に依頼する必要なしで、ＰＬＤ上にデジタルシステムを「集積する」ようにプログラミングを実行する。さらに、現在のところ、プログラミングは、集積回路チップを手動で製造する代替に、「ロジックコンパイラ」ソフトウェアを使用することにより主に実施される。ロジックコンパイラソフトウェアは、プログラムを開発し、書き込むために使用されるソフトウェアコンパイラに類似し、コンパイルする前の元のコードは、ハードウェア記述言語（ＨＤＬ）と言われる、特定のプログラミング言語で書き込まれることも必要である。Ａｄｖａｎｃｅｄ  Ｂｏｏｌｅａｎ  Ｅｘｐｒｅｓｓｉｏｎ  Ｌａｎｇｕａｇｅ（ＡＢＥＬ）、Ａｌｔｅｒａハードウェア記述言語（ＡＨＤＬ）、Ｃｏｎｆｌｕｅｎｃｅ、Ｃｏｒｎｅｌｌ  Ｕｎｉｖｅｒｓｉｔｙプログラミング言語（ＣＵＰＬ）、ＨＤＣａｌ、Ｊａｖａハードウェア記述言語（ＪＨＤＬ）、Ｌａｖａ、Ｌｏｌａ、ＭｙＨＤＬ、ＰＡＬＡＳＭ、及びＲｕｂｙハードウェア記述言語（ＲＨＤＬ）のようなＨＤＬの多くの種類があり、これらの中で、超高速集積回路ハードウェア記述言語（ＶＨＤＬ）、及びＶｅｒｉｌｏｇ２は、現在のところ最も一般的に使用される。また当業者は、論理方法プロシージャを実装するためのハードウェア回路が上記のいくつかのハードウェア記述言語で論理的に若干、方法プロシージャをプログラミングすること、及びそれを集積回路にプログラミングすることにより、容易に取得され得ることを理解すべきである。
【００５９】
コントローラは、いずれかの適切な方式で実装されてもよい。たとえば、コントローラは、マイクロプロセッサまたはプロセッサの形式で、ならびにこの（マイクロ）プロセッサ、論理ゲート、スイッチ、特定用途向け集積回路（ＡＳＩＣ）、プログラマブルロジックコントローラ、及び組み込みマイクロコントローラにより実行可能であるコンピュータ可読プログラムコード（たとえば、ソフトウェアまたはファームウェア）を格納するコンピュータ可読媒体の形式であってよい。コントローラの実施例は、限定されないが、つぎのマイクロコントローラ、ＡＲＣ６２５Ｄ、Ａｔｍｅｌ  ＡＴ９１ＳＡＭ、Ｍｉｃｒｏｃｈｉｐ  ＰＩＣ１８Ｆ２６Ｋ２０、及びＳｉｌｉｃｏｎｅ  Ｌａｂｓ  Ｃ８０５１Ｆ３２０を含む。またメモリコントローラは、メモリの制御ロジックの一部として実装されてもよい。
【００６０】
また当業者は、コントローラが純粋なコンピュータ可読プログラムコードを使用することにより実装されてもよく、加えて、コントローラが論理ゲート、スイッチ、ＡＳＩＣ、プログラマブルロジックコントローラ、及び組み込みマイクロコントローラの形式で同一の機能を実装することを可能にするように論理的に方法ステップをプログラミングしてもよいことを理解する。したがって、このタイプのコントローラは、ハードウェアコンポーネントと考えられてもよく、さまざまな機能を実施するためにコントローラに含まれる装置は、ハードウェアコンポーネント内側の構造とも考えられてもよい。代替に、さまざまな機能を実施するために使用される装置は、方法を実装するためのソフトウェアモジュール、及びハードウェアコンポーネント内側の構造の両方としても考えられてもよい。
【００６１】
上記の例示的な実施形態に図示されるシステム、装置、モジュールまたはユニットは、コンピュータチップ若しくはエンティティ、または特定の機能を有する製品を使用することにより特に実装されてもよい。
【００６２】
説明の便宜上、上記の装置を記述するときに、それは、それぞれの説明についての機能に基づくさまざまなユニットに分割される。当然のことながら、本開示が実施されるときに、これらのユニットの機能は、同一の、または複数のソフトウェア及び／またはハードウェアに実装されてもよい。
【００６３】
実施態様の上記の説明に基づき、当業者は、本開示がソフトウェアと、必要なユニバーサルハードウェアプラットフォームとにより実装されてもよいことを明確に理解し得る。このような理解に基づき、本質的に本開示の技術的な解決策、または従来技術に寄与する部分は、ソフトウェア製品の形態で実施されてもよい。典型的な構成において、コンピューティングデバイスは、１つ以上のプロセッサ（ＣＰＵ）、入出力インタフェース、ネットワークインタフェース、及びメモリを含む。コンピュータソフトウェア製品は、例示的な実施形態、または本開示のいくつかの部分に記述される方法を実行するようにコンピュータデバイス（パーソナルコンピュータ、サーバ、ネットワークデバイス、または同様のものであってよい）に指令するためにいくつかのインストラクションを含んでもよい。コンピュータソフトウェア製品は、メモリ内に格納されてもよく、メモリは、たとえば、読み出し専用メモリ（ＲＯＭ）、またはフラッシュＲＡＭのような、コンピュータ可読媒体内に、揮発性メモリ、ランダムアクセスメモリ（ＲＡＭ）、及び／または不揮発性メモリまたは同様のものを含んでもよい。メモリは、コンピュータ可読媒体の実施例である。コンピュータ可読媒体は、可動及び非可動媒体と同様に不揮発性及び揮発性媒体を含み、いずれかの方法または技術により情報ストレージを実装してもよい。情報は、コンピュータ可読命令、データ構造、及びプログラムまたは他のデータのモジュールであってよい。コンピュータ記憶媒体の実施例は、限定されないが、相変化メモリ（ＰＲＡＭ）、スタティックランダムアクセスメモリ（ＳＲＡＭ）、ダイナミックランダムアクセスメモリ（ＤＲＡＭ）、他のタイプのＲＡＭ、ＲＯＭ、電気的消去可能ＰＲＯＭ（ＥＥＰＲＯＭ）、フラッシュメモリもしくは他のメモリ技術、コンパクトディスク読み出し専用メモリ（ＣＤ−ＲＯＭ）、デジタル多目的ディスク（ＤＶＤ）もしくは他の光学ストレージ、カセットテープ、磁気テープ／磁気ディスクストレージもしくは他の磁気ストレージデバイス、または任意の他の非伝送媒体を含み、コンピューティングデバイスによりアクセス可能である情報を格納するために使用されてもよい。このテキストでの定義により、コンピュータ可読媒体は、変調されたデータ信号及びキャリアのような一時的なコンピュータ可読媒体（一時的な媒体）を含まない。
【００６４】
本明細書において例示的な実施形態は、漸進的に記述され、例示的な実施形態の同一の、または類似の部分は、相互に参照して得られてもよく、各例示的な実施形態は、他の例示的な実施形態と異なる一部を強調する。特に、システムの例示的な実施形態は、方法の例示的な実施形態に基本的に類似するため、簡単に記述される。関連部分について、方法の例示的な実施形態における部分の説明へ参照を行ってもよい。
【００６５】
本開示は、上記のシステムまたはデバイスのいずれかを含む、パーソナルコンピュータ、サーバコンピュータ、ハンドヘルドデバイスまたはポータブルデバイス、タブレットデバイス、マルチプロセッサシステム、マイクロプロセッサベースのシステム、セットトップボックス、プログラム可能な消費者向け電子機器、ネットワークＰＣ、マイクロコンピュータ、メインフレームコンピュータ、及び分散コンピューティング環境のような、さまざまな汎用または専用コンピュータシステム環境または構成に適用可能であってよい。
【００６６】
本開示は、コンピュータ、たとえば、プログラムモジュールにより実行されるコンピュータ実行可能命令の共通コンテキストに記述されてもよい。一般的に、プログラムモジュールは、特定のタスクを実行する、または特定の抽象データ型を実装するために使用される、ルーチン、プログラム、オブジェクト、アセンブリ、データ構造、及び同様のものを含む。また本開示は、分散コンピューティング環境内で実施されてもよい。これらの分散コンピューティング環境において、タスクは、通信ネットワークを介して接続される遠隔処理デバイスを使用することにより実行される。分散コンピューティング環境において、プログラムモジュールは、ストレージデバイスを含む、ローカル及びリモートコンピュータ記憶媒体に配置されてもよい。
【００６７】
本開示は、例示的な実施形態を介して記述されるが、当業者は、本開示の趣旨から逸脱することなく本開示が多くの変形形態及び変更形態を有し、本開示の趣旨から逸脱することなく添付の特許請求の範囲が変形形態及び変更形態を網羅することが期待されることを理解すべきである。
【図１】
2018537759.tif 000003
【図２】
2018537759.tif 000004
【国際調査報告】
2018537759.tif 000005
2018537759.tif 000006
2018537759.tif 000007
2018537759.tif 000008